(57)【特許請求の範囲】
【請求項１】
前面から背面にかけてケーブルが挿入される第１の貫通孔及び第１の貫通孔よりも下方に設けられた第２の貫通孔を有するホルダと、
前記ホルダの内部で上下方向に摺動自在に保持される略Ｌ字状のクランプ部材と、
前記ホルダの上部に回動自在に保持され、前記クランプ部材と係合してその回動により前記クランプ部材を上下に摺動させるレバーと、を具備し、
前記ホルダの第１の貫通孔は、ホルダの内部で上方が開放されており、
前記ホルダの第２の貫通孔は、ホルダの内部で前記第１の貫通孔の上方開放部よりもさらに背面側の位置において、上方が開放されており、
前記クランプ部材は、その下方への摺動に応じて、前記ホルダの第１の貫通孔に挿入されたケーブルを第１の貫通孔の上方開放部において上方から押圧する第１の切欠きをＬ字状の肉厚部の下方に有し、前記ホルダの第２の貫通孔に挿入されたケーブルを第２の貫通孔の上方開放部において上方から押圧する第２の切欠きをＬ字状の先端部の下方に有することを特徴とするケーブル固定機構。
【請求項２】
請求項１記載のケーブル固定機構を含んで構成され、前記ケーブルは光ファイバであり、前記ホルダは投光素子及び受光素子を有する光電スイッチの前面に固定されたものであり、前記ホルダにより固定された光ファイバの前面に夫々投受光素子を配置したことを特徴とする光電スイッチ。
【発明の詳細な説明】
【０００１】
【産業上の利用分野】
本発明は光ファイバや電線等のケーブルを電気機器に固定するケーブル固定機構及び光ファイバ型の光電スイッチに関するものである。
【０００２】
【従来の技術】
従来ケーブル固定機構としては例えば実開平４−184832号に示されているように、光ファイバを挿通孔に差込み、その端部を投受光素子に密着させ、押圧部材を押し込むことによって係止カムを回動させ、ばね力によって光ファイバを固定するようにした固定機構が知られている。又実開平４−94232号に示されているように、第１，第２の空間を有するファイバストッパとボックスを設け、ボックスをロック部材により押し上げることによって第１，第２の空間を弾性変形させて狭くし、ファイバを固定するようにした固定機構が知られている。
【０００３】
【発明が解決しようとする課題】
しかるにこのような第１の従来例による光ファイバ保持部の構造によれば、構成部品が多く構造が複雑となり、組立作業性が悪く、又信頼性が低いという欠点があった。更にばねにより操作するため操作力が重く、操作片が常に外部に露出しているため、誤操作する可能性があるという欠点もあった。又第２の従来例では、ケーブルを挿入する方向にロックレバーが倒れるような構造となっているため、ケーブルの挿入時にレバーが邪魔になり、又弾性力のある部材を締め付けてケーブルを固定するため、部材の変形量が限られており、確実に光ファイバを固定したり開放することができなくなるという欠点があった。
【０００４】
本発明はこのような従来の問題点に鑑みてなされたものであって、部品点数が少なく、しかもケーブルの固定と解除を確実に容易に行えるようにしたケーブル固定機構を提供することを目的とする。
【０００５】
【課題を解決するための手段】
本願の請求項１の発明は、前面から背面にかけてケーブルが挿入される第１の貫通孔及び第１の貫通孔よりも下方に設けられた第２の貫通孔を有するホルダと、ホルダの内部で上下方向に摺動自在に保持される略Ｌ字状のクランプ部材と、ホルダの上部に回動自在に保持され、クランプ部材と係合してその回動によりクランプ部材を上下に摺動させるレバーと、を具備し、ホルダの第１の貫通孔は、ホルダの内部で上方が開放されており、ホルダの第２の貫通孔は、ホルダの内部で第１の貫通孔の上方開放部よりもさらに背面側の位置において、上方が開放されており、クランプ部材は、その下方への摺動に応じて、ホルダの第１の貫通孔に挿入されたケーブルを第１の貫通孔の上方開放部において上方から押圧する第１の切欠きをＬ字状の肉厚部の下方に有し、ホルダの第２の貫通孔に挿入されたケーブルを第２の貫通孔の上方開放部において上方から押圧する第２の切欠きをＬ字状の先端部の下方に有することを特徴とするものである。
【０００６】
本願の請求項２の発明は、請求項１記載のケーブル固定機構を含んで構成され、ケーブルは光ファイバであり、ホルダは投光素子及び受光素子を有する光電スイッチの前面に固定されたものであり、ホルダにより固定された光ファイバの前面に夫々投受光素子を配置したことを特徴とするものである。
【０００７】
【作用】
このような特徴を有する本発明によれば、ホルダの貫通孔にケーブルを挿入した後、レバーを回動させる。こうすればクランプ部材がホルダ内で摺動して貫通孔を狭めるように移動し、これによってケーブルが固定されることとなる。又レバーを逆方向に回動させることによって貫通孔が広がり、これによりケーブルを着脱することができる。
【０００８】
【実施例】
図１は本発明の一実施例によるケーブル固定機構の主要構成要素を示す斜視図であり、図２はファイバクランプとレバーを示す正面図及び側面図、図３は一部切欠き斜視図である。これらの図に示すように本実施例によるケーブル固定機構は、ホルダ１，ファイバクランプ５及びレバー１０を含んで構成される。ホルダ１は略直方体状の部材であって、正面方向より電線等のケーブルを挿入する貫通孔２ａ，２ｂが上下に形成されている。ホルダ１の上部は上方に向けて細くなるような傾斜面が形成され、又左右にはスロープ状の傾斜部３ａ，３ｂが左右に形成され、内向きに切欠かれている。又この切欠きの背後には、中央に窪みを有する軸受け部４が形成されている。そしてホルダ１内には図３に一部切欠き斜視図を示すように、略Ｌ字状のファイバクランプ５を挿入するためのＬ字状の貫通孔部が形成される。
【０００９】
一方ファイバクランプ５は図１に斜視図を示すように略Ｌ字形のクランプ部材であって、上方には左右に逆Ｌ形の突起６ａ，６ｂが形成される。又図２（ａ）に示すようにファイバクランプ５は中央部に楕円形に切欠かれた貫通孔７が形成され、その下端には断面円弧状に切欠かれた溝８が形成されている。この貫通孔７及び円弧状溝８は、いずれもファイバクランプ５がホルダ１内で摺動する際にホルダ１の貫通孔２ａ，２ｂを狭める切欠きである。
【００１０】
次にレバー１０は図１，図２に示すように、操作片１１とその操作片下部に形成された円筒状の軸部１２から成り、軸部１２の左右には突起１２ａが形成される。又軸部１２の中央部は円弧状の押さえ部１３が設けられる。更に軸部１２の下方は押さえ部１３の端面と同一の面を形成する薄い円弧状部１４を有している。
【００１１】
次に光ファイバをこのホルダ１の貫通孔２ａ，２ｂに挿入して固定する際の動作について説明する。図４（ａ）はホルダ１内にファイバクランプ５を挿入し、ホルダ１の軸受け部４にレバー１０の軸部１２を挿入した状態を示す縦断面図である。本図に示すようにレバー１０の軸部１２の突起１２ａが軸受け部４の窪みに嵌合してレバー１０が回動自在に保持される。図４（ａ）ではレバー１０の操作片１１はホルダ１の上向きに直立した状態となっており、レバー１０の円弧状部１４の上面がファイバクランプ５の突起６ａ，６ｂと係合している。さてホルダ１の貫通孔２ａ，２ｂに光ファイバ２１，２２を挿入する。図４（ａ）の状態ではホルダ１の貫通孔２ａを貫通し更にファイバクランプ５の貫通孔７を貫通して、光ファイバ２１がスムーズにホルダ１に挿入できる。又ファイバ２２は貫通孔２ｂを通過し、更にファイバクランプ５の円弧状溝８の下部を通過してスムーズに挿入できる。ホルダ１の内側には、光電スイッチのケース２３の外面に投光素子２４と受光素子２５とが配置されているものとする。
【００１２】
さてこの状態で光ファイバ２１，２２を固定するには、レバー１０の操作片１１を図４（ａ）に示す矢印Ａ方向に回動させる。そうすればレバー１０の押さえ部１３がファイバクランプ５の上面を押圧することとなり、ファイバクランプ５が図４（ｂ）に示すように下方に移動する。従ってファイバクランプ５の円弧状溝８の面により光ファイバ２２が上方より押圧される。更にファイバクランプ５の貫通孔７により光ファイバ２１の上部が図示のように押圧され、これによって光ファイバ２１，２２が固定されることとなる。
【００１３】
図５はこのケーブル固定機構を用いた光ファイバ型光電スイッチを示す図である。前述したケーブル固定機構のホルダ１の内側には、光ファイバ型光電スイッチ本体のケース２３が取付けられる。このケース２３の光ファイバが挿入される位置には、夫々図４に示すように投光素子２４及び受光素子２５を配置しておくものとする。そして光ファイバを取付ける際には図５に示すようにレバー１０の操作片１１を上方に上げた状態で光ファイバ２１，２２を挿入し、矢印Ａ方向に回動することによって光ファイバをロックする。ここでケース２３の上面には図５（ａ）に示すように動作表示，安定表示を示す表示素子３１ａ，３１ｂ、感度調整抵抗３２やモード切換スイッチ３３等を有するパネル面が形成されている。さて光ファイバをロックした後、図６に示すようにカバー３４を取付ける。カバー３４はこれらの操作面のうち、表示素子３１ａ，３１ｂを有する部分のみを透明とした部材であって、これらのパネル面を保護すると共にレバー１０の操作片１１の回動を禁止するようにしている。即ち図６（ｃ）に示すように操作片１１をロックした状態でカバー３４を取付けると、それ以後操作片１１が矢印Ｂ方向、即ちロックが解除される方向には回動できなくなる。このため確実に光ファイバを固定することができる。
【００１４】
尚本実施例は光ファイバ式光電スイッチについて適応した例を示しているが、本発明は光ファイバの固定部に限らず、通常の電線の固定部等種々のケーブル固定機構に適用することができることはいうまでもない。
【００１５】
【発明の効果】
以上詳細に説明したように本発明によれば、極めて少ない部品点数で確実にケーブルを固定し開放することができる。又構造が簡単であるため組立作業性が良く、高い信頼性が得られる。
【図面の簡単な説明】
【図１】本発明の一実施例によるケーブル固定機構の主要部品を示す組立構成図である。
【図２】本実施例のファイバクランプとレバーの係合状態を示す正面図及び側面図である。
【図３】本実施例のホルダにファイバクランプ及びレバーを装着した状態を示す一部切欠き斜視図である。
【図４】ケーブルを開放する状態及びロック状態を示す縦断面図である。
【図５】本実施例のケーブル固定機構を光ファイバ式光電スイッチに適用した状態を示す図である。
【図６】光ファイバ式光電スイッチにおいてカバーを取付けた状態を示す図である。
【符号の説明】
１  ホルダ
２ａ，２ｂ  貫通孔
３  スライド部
４  軸受け部
５  ファイバクランプ
６ａ，６ｂ  突起
７  貫通孔
８  円弧状溝
１０  レバー
１１  操作片
１２  軸部
１３  押さえ部
１４  円弧状部
２１，２２  光ファイバ
２３  ケース
２４  投光素子
２５  受光素子
３４  カバー
【図１】
0003584517.tif 000002
【図２】
0003584517.tif 000003
【図３】
0003584517.tif 000004
【図４】
0003584517.tif 000005
【図５】
0003584517.tif 000006
【図６】
0003584517.tif 000007